(57)【要約】【課題】  金属製の電柱に絶縁シートを容易かつ適正に配設することを可能にする、電柱用絶縁シート取付具を提供する。【解決手段】  変形自在なシート状で、磁力によって電柱Ｐに着脱自在に取り付けられる着脱シート２と、着脱シート２の表面側に設けられ、絶縁シート１００の第１の面ファスナ１０１と着脱自在に接合する第２の面ファスナ３と、を備える。そして、着脱シート２を電柱Ｐの所望の位置に取り付け、第１の面ファスナ１０１を第２の面ファスナ３に接合させて絶縁シート１００を着脱シート２に取り付ける。【選択図】  図１
2015006019.tif 000002
【特許請求の範囲】
【請求項１】
第１の面ファスナが設けられた絶縁シートを金属製の電柱に配設するための電柱用絶縁シート取付具であって、
変形自在なシート状で、磁力によって前記電柱に着脱自在に取り付けられる着脱シートと、
前記着脱シートの表面側に設けられ、前記第１の面ファスナと着脱自在に接合する第２の面ファスナと、
を備えることを特徴とする電柱用絶縁シート取付具。
【請求項２】
前記着脱シートの端部から前記着脱シートの表面側に突出するように設けられ、間接活線工具のヤットコで把持される把持部を備える、
ことを特徴とする請求項１に記載の電柱用絶縁シート取付具。
【請求項３】
前記第２の面ファスナは、フック状に起毛されたフック毛で構成されたフック部と、ループ状に起毛されたループ毛で構成されたループ部とが、交互に配設されて構成されている、
ことを特徴とする請求項１または２のいずれか１項に記載の電柱用絶縁シート取付具。
【発明の詳細な説明】
【技術分野】
【０００１】
この発明は、金属製の電柱に絶縁シートを配設するための電柱用絶縁シート取付具に関する。
【背景技術】
【０００２】
近年、安全性をより確保するために、間接活線工具（ホットスティック・絶縁棒）を用いて通電状態のままで作業を行う間接活線工法が、多く採用されている。例えば、金属製の電柱（金属柱、パンザーマスト、複合柱など）の近くで縁線の切断、接続や、高圧引下線の切断、接続などを行う場合にも、間接活線工法が採用されているが、ホットスティックの先端工具が電柱に接触することによる地絡事故などを防止するために、絶縁シートで防護している。この際、絶縁シートを電柱に巻いて配設したいが、絶縁シートを電柱に巻いた状態で絶縁シートをシートバサミで固定することができないため、絶縁シートを電柱の腕金と電柱とに一緒に巻いてシートバサミで固定する、ことなどが行われている。
【０００３】
また、樋状の成形体に絶縁シートが取り付けられた被覆材で、電柱の腕金や碍子などの全周を被覆する、という技術が知られている（例えば、特許文献１参照。）。一方、面ファスナが設けられた絶縁シートは、いろいろな作業場面で従来から広く使用されている。
【先行技術文献】
【特許文献】
【０００４】
【特許文献１】特開平０６−０４４８４７号公報
【発明の概要】
【発明が解決しようとする課題】
【０００５】
ところで、ホットスティックで絶縁シートを腕金と電柱とに一緒に巻いてシートバサミで固定する、という作業は容易ではなく（作業性が悪く）、絶縁シートの取付状態・仕上がり具合が、作業者の技能に大きく依存し、防護品質にバラツキが生じてしまう。また、特許文献１の技術では、特殊形状の被覆材を要し、面ファスナが設けられた通常・既存の絶縁シートを使用することができないばかりでなく、被覆対象や被覆位置などが制限され、作業現場の状態に応じた柔軟な防護ができない。しかも、腕金などの全周を被覆材で被覆しなければならず、作業が煩雑で、特にホットスティックでの作業には多大な時間と労力とを要する。
【０００６】
そこでこの発明は、金属製の電柱に絶縁シートを容易かつ適正に配設することを可能にする、電柱用絶縁シート取付具を提供することを目的とする。
【課題を解決するための手段】
【０００７】
上記課題を解決するために、請求項１の発明は、第１の面ファスナが設けられた絶縁シートを金属製の電柱に配設するための電柱用絶縁シート取付具であって、変形自在なシート状で、磁力によって前記電柱に着脱自在に取り付けられる着脱シートと、前記着脱シートの表面側に設けられ、前記第１の面ファスナと着脱自在に接合する第２の面ファスナと、を備えるとする。
【０００８】
この発明によれば、着脱シートを電柱の所望の位置に取り付け、第１の面ファスナを第２の面ファスナに接合させて絶縁シートを着脱シートに取り付ける。
【０００９】
請求項２の発明は、請求項１に記載の電柱用絶縁シート取付具において、前記着脱シートの端部から前記着脱シートの表面側に突出するように設けられ、間接活線工具のヤットコで把持される把持部を備える、ことを特徴とする。
【００１０】
請求項３の発明は、請求項１または２に記載の電柱用絶縁シート取付具において、前記第２の面ファスナは、フック状に起毛されたフック毛で構成されたフック部と、ループ状に起毛されたループ毛で構成されたループ部とが、交互に配設されて構成されている、ことを特徴とする。
【発明の効果】
【００１１】
請求項１の発明によれば、磁力によって着脱シートを電柱に取り付け、第１の面ファスナと第２の面ファスナとを接合させて絶縁シートを着脱シートに取り付けるだけでよいため、間接活線工具を用いても容易に絶縁シートを配設することができる。つまり、作業性が向上し、作業時間を短縮したり、作業者の負担を軽減したりすることができる。
【００１２】
また、着脱シートを介して絶縁シートを電柱の所望・任意の位置に、任意の数だけ直接配設することができ、しかも、着脱シートが変形自在なため、着脱シートおよび絶縁シートを電柱に巻いた状態で配設することができる。この結果、作業内容や作業位置などに応じて、適正かつ柔軟に絶縁シートを配設することが可能となる。
【００１３】
このように、作業者の技能に依存することなく、金属製の電柱に絶縁シートを容易かつ適正に配設することが可能となり、防護品質が向上かつ均質化する。
【００１４】
また、面ファスナが設けられた通常・既存の絶縁シートを配設することができるため、経済的であるばかりでなく、汎用性を有する絶縁シートによって作業現場の状態に応じた柔軟な防護が可能となる。さらに、面ファスナを介して絶縁シートを着脱シートに確実・強固に取り付けることができるため、作業中に絶縁シートが外れることによる地絡事故などをより確実に防止することが可能となる。
【００１５】
請求項２の発明によれば、間接活線工具のヤットコで把持部を把持することで、間接活線工具を用いてより容易に、着脱シートを電柱に取り付けたり電柱から取り外したりすることができる。
【００１６】
請求項３の発明によれば、フック部とループ部とが交互に配設されて第２の面ファスナが構成されているため、絶縁シートの第１の面ファスナがフック毛またはループ毛のどちらか一方で構成されていても、絶縁シートを着脱シートに取り付けることができる。つまり、面ファスナが設けられた絶縁シートであれば、面ファスナの種類にかかわらず、既存・既製の絶縁シートをそのまま配設することができる。
【図面の簡単な説明】
【００１７】
【図１】この発明の実施の形態に係る電柱用絶縁シート取付具を示す正面図（ａ）と側面図（ｂ）である。
【図２】この発明の実施の形態に係る絶縁シートを示す正面図である。
【図３】図１の電柱用絶縁シート取付具における第２の面ファスナのレイアウト（ａ）と、第２のレイアウト（ｂ）および第３のレイアウト（ｃ）を示す概略図である。
【図４】この発明の実施の形態における間接活線工具を示す正面図である。
【図５】図１の電柱用絶縁シート取付具を電柱に取り付ける状態を示す図である。
【図６】図５に続いて、絶縁シートを電柱用絶縁シート取付具に取り付ける状態を示す図である。
【図７】図６に続いて、絶縁シートを電柱用絶縁シート取付具に取り付けた状態を示す図である。
【図８】この発明の実施の形態における絶縁シートの他の取付状態を示す図である。
【発明を実施するための形態】
【００１８】
以下、この発明を図示の実施の形態に基づいて説明する。
【００１９】
図１〜８は、この発明の実施の形態を示し、図１は、この発明の実施の形態に係る電柱用絶縁シート取付具１を示す正面図（ａ）と側面図（ｂ）である。この電柱用絶縁シート取付具１は、第１の面ファスナ１０１が設けられた絶縁シート１００を金属製の電柱Ｐに配設するための取付具であり、着脱シート２と、第２の面ファスナ３と、取っ手（把持部）４とを備えている。
【００２０】
ここで、電柱Ｐには、電力柱や通信柱などを含み、金属製の電柱Ｐには、パンザーマスト（鋼板柱）や複合柱（コンクリートの台柱に鋼板を組み付けたもの）などを含む。また、絶縁シート１００は、折り曲げ自在で、例えば図２に示すように、裏面の全周縁側および中央部に第１の面ファスナ１０１が貼り付けられている。この第１の面ファスナ１０１は、この実施の形態では、フック状に起毛されたフック毛またはループ状に起毛されたループ毛のどちらか一方が、密集して構成されている。
【００２１】
着脱シート２は、変形自在なシート状で、磁力によって電柱Ｐに着脱自在に取り付けられるようになっている。すなわち、マグネットシートで構成され、接着面２ａの全面が電柱Ｐに接着する。また、着脱シート２の平面形状は長方形で、その大きさは、通常・既存の絶縁シート１００を取り付けられるように設定されている。
【００２２】
この着脱シート２の表面側（接着面２ａの反対面側）に、第２の面ファスナ３が設けられている。この第２の面ファスナ３は、第１の面ファスナ１０１と着脱自在に接合する面ファスナであり、着脱シート２の表面のほぼ全面にわたって配設されている。また、第２の面ファスナ３は、フック状に起毛されたフック毛が密集して構成されたフック部３１と、ループ状に起毛されたループ毛が密集して構成されたループ部３２とが、交互に配設されて構成されている。
【００２３】
具体的には、図３（ａ）に示すように、フック部３１とループ部３２とがそれぞれ所定面積の略正方形で、フック部３１とループ部３２とが格子状に、縦横交互に配設されて構成されている。これにより、第１の面ファスナ１０１がフック毛またはループ毛のどちらで構成されていても、第１の面ファスナ１０１と接合するようになっている。つまり、第１の面ファスナ１０１が、フック部３１またはループ部３２のどちらか一方と必ず接合するようになっている。
【００２４】
これに対して、第１の面ファスナ１０１の配設位置や形状などに応じて、図３（ｂ）に示すように、帯状のフック部３１とループ部３２とを横縞模様状に交互に配設したり、図３（ｃ）に示すように、帯状のフック部３１とループ部３２とを縦縞模様状に交互に配設したりしてもよい。
【００２５】
また、フック部３１とループ部３２とは色分けされ、フック部３１とループ部３２とを目視で識別できるようになっている。
【００２６】
取っ手４は、着脱シート２の端部から着脱シート２の表面側に突出するように設けられ、後述する間接活線工具２００のヤットコ２２０で容易かつ確実に把持できるように形成されている。具体的には、図１に示すように、平板状で長方形の垂直部４１が、着脱シート２の上端部中央から垂直に延び、この垂直部４１の上端部から水平方向に延び第２の面ファスナ３（表面側）に突出するように、平板状で長方形の水平部４２が形成されている。さらに、水平部４２の先端部（反垂直部４１側）から垂直上方に突出した突起部４３が形成されている。そして、ヤットコ２２０で水平部４２を把持・挟持でき、かつ、把持した際に、ヤットコ２２０が外れるのを突起部４３で防止できるように構成されている。
【００２７】
このような取っ手４は、電気絶縁材で構成され、かつ、弾性変形可能となっている。これにより、後述するようにして、電柱用絶縁シート取付具１を電柱Ｐに取り付けた際に、取っ手４が変形することで、着脱シート２が電柱Ｐの曲面に沿って変形して密着するようになっている。
【００２８】
次に、このような構成の電柱用絶縁シート取付具１の作用および、電柱用絶縁シート取付具１による絶縁シート１００の配設方法などについて説明する。ここで、間接活線工具２００を用いて、通電状態のままで作業を行う間接活線工法で行うものとし、間接活線工具２００は、概略次のような構成となっている。
【００２９】
すなわち、図４に示すように、棒状で先端にヤットコ２２０が配設された工具であり、把持工具本体２１０と、ヤットコ２２０とを有している。把持工具本体２１０は絶縁性の棒体で、上端部には、金属製の支持具２１１が取付けられている。この支持具２１１の上部には、ヤットコ２２０を構成する可動アーム２１２、２１３が支持ピン（図示せず）を介して揺動可能に支持され、この可動アーム２１２、２１３は、操作ロッド２１４の上端部に連結されている。
【００３０】
一方、把持工具本体２１０には、レバー２１５が揺動可能に支持され、このレバー２１５の上端部には、操作ロッド２１４の下端部がピン連結されている。そして、レバー２１５を矢印Ｆ１方向に操作することによって、第１の可動アーム２１２および第２の可動アーム２１３（ヤットコ２２０）が、矢印Ｆ２方向に互いに開閉・回動するものである。
【００３１】
絶縁シート１００を配設するには、まず、図５に示すように、間接活線工具２００のヤットコ２２０で取っ手４を把持して、間接活線工具２００で電柱用絶縁シート取付具１を持ち上げる。そして、作業内容や作業位置などに応じて、電柱Ｐの所望の位置（絶縁シート１００を配設したい位置）に着脱シート２を接着させる。これにより、電柱用絶縁シート取付具１が電柱Ｐに巻かれた状態で配設される。
【００３２】
続いて、図６に示すように、間接活線工具２００のヤットコ２２０で絶縁シート１００を把持して、間接活線工具２００で絶縁シート１００を電柱用絶縁シート取付具１まで持ち上げる。そして、第１の面ファスナ１０１と第２の面ファスナ３とを接合させて、絶縁シート１００を電柱用絶縁シート取付具１に取り付ける。このとき、作業内容や作業位置などに応じて、所望・任意の位置に絶縁シート１００を取り付ける。
【００３３】
これにより、図７に示すように、電柱用絶縁シート取付具１を介して絶縁シート１００が電柱Ｐに巻かれた状態で配設され、この状態で、縁線の切断、接続作業などを行う。また、必要に応じて、複数の絶縁シート１００を配設して作業を行う。このとき、作業内容や作業位置などに応じて、１つの電柱用絶縁シート取付具１に複数の絶縁シート１００を取り付けたり、複数の電柱用絶縁シート取付具１に対してそれぞれ絶縁シート１００を取り付けたりする。
【００３４】
また、電柱Ｐの全周にわたって絶縁シート１００を配設したい場合には、例えば図８に示すように、電柱Ｐの正面側と背面側とにそれぞれ電柱用絶縁シート取付具１を取り付け、２つの電柱用絶縁シート取付具１にかけ渡すようにして、絶縁シート１００を各第２の面ファスナ３に接合させる。これにより、絶縁シート１００が、電柱Ｐの全周にわたって巻き付くように配設されるものである。
【００３５】
以上のように、この電柱用絶縁シート取付具１および絶縁シート１００の配設方法によれば、磁力によって着脱シート２を電柱Ｐに取り付け、第１の面ファスナ１０１を第２の面ファスナ３に接合させて絶縁シート１００を着脱シート２に取り付けるだけでよいため、間接活線工具２００を用いても容易に絶縁シート１００を配設することができる。つまり、作業性が向上し、作業時間を短縮したり、作業者の負担を軽減したりすることができる。さらに、間接活線工具２００のヤットコ２２０で取っ手４を把持することで、間接活線工具２００を用いてより容易に、着脱シート２を電柱Ｐに取り付けたり電柱Ｐから取り外したりすることができる。
【００３６】
また、着脱シート２（電柱用絶縁シート取付具１）を電柱Ｐの所望・任意の位置に所望・任意の数だけ取り付けることで、絶縁シート１００を電柱Ｐの所望の位置に所望の数だけ直接配設することができる。しかも、第２の面ファスナ３が着脱シート２のほぼ全面にわたって配設されているため、着脱シート２に対して所望の位置に所望の数だけ絶縁シート１００を取り付けることができる。さらには、着脱シート２が変形自在なため、着脱シート２および絶縁シート１００を電柱Ｐに巻いたりして配設することができる。このようにして、作業内容や作業位置などに応じて、適正かつ柔軟に絶縁シート１００を配設することが可能となる。
【００３７】
このように、作業者の技能に依存することなく、金属製の電柱Ｐに絶縁シート１００を容易かつ適正、柔軟に配設することが可能となり、防護品質が向上かつ均質化する。
【００３８】
また、第１の面ファスナ１０１が設けられた通常・既存の絶縁シート１００を配設することができるため、経済的であるばかりでなく、汎用性を有する絶縁シート１００によって作業現場の状態に応じた柔軟な防護が可能となる。さらに、面ファスナ１０１、３を介して絶縁シート１００を着脱シート２に確実・強固に取り付けることができるため、作業中に絶縁シート１００が外れることによる地絡事故などをより確実に防止することが可能となる。
【００３９】
一方、フック部３１とループ部３２とが交互に配設されて第２の面ファスナ３が構成されているため、絶縁シート１００の第１の面ファスナ１０１がフック毛またはループ毛のどちらか一方で構成されていても、絶縁シート１００を着脱シート２に取り付けることができる。つまり、第１の面ファスナ１０１が設けられた絶縁シート１００であれば、第１の面ファスナ１０１がフック毛かループ毛かにかかわらず、既存・既製の絶縁シート１００をそのまま配設することができる。しかも、フック部３１とループ部３２とが色分けされているため、フック部３１およびループ部３２の位置を目視確認でき、その結果、容易に第１の面ファスナ１０１を第２の面ファスナ３に接合させることができる。
【００４０】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、着脱シート２自体がマグネットシートで構成され、接着面２ａ全面が磁力を有しているが、変形自在なシート材の裏面（接着面）の一部または全面的に、マグネットを配設してもよい。また、電柱用絶縁シート取付具１（着脱シート２）を電柱Ｐに取り付けた後に、絶縁シート１００を電柱用絶縁シート取付具１に取り付けているが、地上において絶縁シート１００を電柱用絶縁シート取付具１に取り付けた後に、絶縁シート１００とともに電柱用絶縁シート取付具１を電柱Ｐに取り付けてもよい。
【符号の説明】
【００４１】
１        電柱用絶縁シート取付具
２        着脱シート
２ａ      接着面
３        第２の面ファスナ
３１      フック部
３２      ループ部
４        取っ手（把持部）
１００    絶縁シート
１０１    第１の面ファスナ
２００    間接活線工具
２２０    ヤットコ
Ｐ        電柱
【図１】
2015006019.tif 000003
【図２】
2015006019.tif 000004
【図３】
2015006019.tif 000005
【図４】
2015006019.tif 000006
【図５】
2015006019.tif 000007
【図６】
2015006019.tif 000008
【図７】
2015006019.tif 000009
【図８】
2015006019.tif 000010